(57)【要約】【課題】開栓時の泡の吹きこぼれを抑制することができると共に、内部の炭酸飲料水をスムーズに飲むことができる炭酸飲料水用のボトルを提供することである。【解決手段】ボトル本体１の口部４を密閉し、押し込みによって開栓される栓体２１を炭酸飲料水中で浮遊可能な合成樹脂の成形品とすることにより、開栓時、栓体２１は直ちに上昇して口部４を閉じるため、泡の吹きこぼれを抑制することができると共に、口部４を下向きとするボトル本体１の傾倒時に栓体２１は上昇して口部４から離反するため、炭酸飲料水をスムーズに飲むことができる。【選択図】　図２
2004051205.tif 000002
【特許請求の範囲】
【請求項１】
口部を上部に有するボトル本体と、そのボトル本体の口部を密閉し、押し込みによって開栓される球形の栓体とから成る炭酸飲料水用のボトルにおいて、前記栓体をボトル本体内に充填された炭酸飲料水中で浮遊可能な重さとしたことを特徴とする炭酸飲料水用のボトル。
【請求項２】
前記栓体が合成樹脂の成形品から成る請求項１に記載の炭酸飲料水用のボトル。
【請求項３】
前記合成樹脂がポリプロピレンから成る請求項２に記載の炭酸飲料水用のボトル。
【発明の詳細な説明】
【０００１】
【発明の属する技術分野】
この発明は、炭酸飲料水、特にレモネード水（ラムネ水）が充填されるボトルに関するものである。
【０００２】
【従来の技術】
ラムネ水用のボトルとして、ガラス製のものと、ペットボトルと称される合成樹脂製のものとが従来から知られている。いずれのボトルも胴の上部にくびれ部を設け、そのくびれ部と口部との間に形成された栓体収容部に内方に突出する複数の突起を設けている。また、口部内に球形の栓体を組み込んで口部を密閉し、その栓体を押し込みによって開栓するようにしている。
【０００３】
【発明が解決しようとする課題】
ところで、従来のラムネ水用ボトルにおいては、口部を密閉する栓体がガラス製であって比重がラムネ水より重いため、開栓すると栓体は栓体収容部の下端のくびれ部上まで直ちに落下することになり、開栓時の圧力変化によってラムネ水から発生する泡の吹きこぼれが多いという不都合がある。
【０００４】
また、ボトルを傾け、口部を下向きとしてラムネ水を飲むとき、栓体は口部側に移動して口部を閉じることが多く、ラムネ水をスムーズに飲むことができないという不都合もある。
【０００５】
さらに、ガラス製の栓体は製造に手間がかかり、コストも高いという不都合もある。
【０００６】
この発明の課題は、開栓時の泡の吹きこぼれを抑制することができると共に、充填された炭酸飲料水をスムーズに飲むことができるコストの安い炭酸飲料水用のボトルを提供することである。
【０００７】
【課題を解決するための手段】
上記の課題を解決するために、この発明においては、口部を上部に有するボトル本体と、そのボトル本体の口部を密閉し、押し込みによって開栓される球形の栓体とから成る炭酸飲料水用のボトルにおいて、前記栓体をボトル本体内に充填された炭酸飲料水中で浮遊可能な重さとした構成を採用したのである。
【０００８】
上記のように、栓体を炭酸飲料水中で浮遊可能な重さとすることにより、栓体を押し込む開栓時に、栓体は炭酸飲料水中に一旦沈み込んだのち直ちに浮き上がるため、開栓時の圧力変化によって炭酸飲料水から発生する泡の口部からの吹きこぼれを抑制することができる。
【０００９】
また、ボトル本体を傾倒し、口部を下向きとする飲料時に、栓体は上方に移動して口部から離れるため、口部が栓体によって閉じられることがなく、炭酸飲料水をスムーズに飲むことができる。
【００１０】
ここで、栓体を合成樹脂製とすることにより、金型成形による製造方法を採用することができるため、コストの安い栓体を得ることができる。
【００１１】
合成樹脂として、ポリプロピレン、ポリエチレン、ポリスチレン等を挙げることができる。ポリプロピレンおよびポリエチレンは比重が１．０未満であるため、中実の栓体としても炭酸飲料水中で浮遊させることができ、一方、ポリスチレンは比重が１．０を超え、炭酸飲料水中で沈降するおそれがあるため、その場合には、栓体中にエア溜りを形成して浮力をもたせるようにする。
【００１２】
この発明に係る炭酸飲料水用のボトルにおいて、ボトル本体は、ガラス製のものであってもよく、ポリエチレンテレフタレート（ＰＥＴ）から成るものであってもよい。ボトル本体をＰＥＴ製とし、栓体をポリプロピレン製とすることによって、ボトル本体と栓体とは比重差があるため、ボトル本体のリサイクルにおいて、ボトル本体と栓体とを比重差によってきわめて簡単に分別することができる。
【００１３】
【発明の実施の形態】
以下、この発明の実施の形態を図面に基づいて説明する。図１に示すように、ボトル本体１はポリエチレンテレフタレート（ＰＥＴ）から成る。このボトル本体１の胴部２の上部にはくびれ部３が設けられ、そのくびれ部３と口部４間に栓体収容部５が形成されている。
【００１４】
図２に示すように、ボトル本体１の口部４には合成樹脂から成るキャップ１０が取付けられている。キャップ１０は、外筒部１１と内筒部１２から成る。
【００１５】
外筒部１１はポリプロピレン等の合成樹脂から成り、その内周に形成された雌ねじ１３は口部４の外周に形成された雄ねじ７にねじ係合されている。また、外筒部１１の下端部にはスカート部１４が連設され、そのスカート部１４の内周に形成された係合突条１５が口部４の外周に設けられた突出部８の下面に係合している。
【００１６】
さらに、外筒部１１の上端には内向きのフランジ１６が設けられ、そのフランジ１６の内周から内方に向けてカバー筒部１７が形成されている。
【００１７】
内筒部１２は低密度ポリエチレンから成り、ボトル本体１の口部４内に挿入されている。内筒部１２の上端には口部４の上端面に密着可能なフランジ部１８が一体に設けられている。この内筒部１２は外筒部１１と一体化されている。
【００１８】
内筒部１２の内周には一対の環状突出部１９、２０が上下に間隔をおいて設けられ、その一対の環状突出部１９、２０によって球形の栓体２１が保持されている。
【００１９】
栓体２１を保持するキャップ１０は、ボトル本体１の内部に対するラムネ水等の炭酸飲料水の充填後に口部４に取付けられる。そのキャップ１０の取付けにより、栓体２１は口部４内を密閉して炭酸飲料水の漏洩を防止している。
【００２０】
栓体２１は、ポリプロピレンから成り、金型により成形されている。ここで、ポリプロピレンは比重が１．０未満であるため、栓体２１は炭酸飲料水中で浮遊可能となっている。
【００２１】
いま、栓体２１を押し込んで開栓すると、その栓体２１は一度沈み込んだのち直ちに浮き上がる。
【００２２】
栓体２１の開栓時、ボトル本体１の内部の圧力は急激に低下し、その圧力低下によって炭酸飲料水に泡が発生し、その泡は口部４から吹き出すことになるが、開栓後、栓体２１は直ちに浮き上がるため、泡の吹きこぼれは抑制される。
【００２３】
栓体２１の開栓後、口部４に口を当て、ボトル本体１を傾けて、口部４を下向きにすると、栓体２１は炭酸飲料水中を浮上して、下側の環状突出部２０から離反し、口部４が栓体２１によって閉じられることはない。このため、ボトル本体１の炭酸飲料水をスムーズに飲むことができる。
【００２４】
ボトル本体１のリサイクルに際しては、キャップ１０を取外し、ボトル本体１内から栓体２１を取り出して各部品を分別する。その分別に際し、ボトル本体１を形成するポリエチレンテレフタレートと栓体２１を形成するポリプロピレンとは比重が異なるため、比重差によって両部品を簡単に分別することができる。
【００２５】
実施の形態では、栓体２１をポリプロピレンで形成したが、ポリエチレンやポリスチレンによって栓体２１を金型成形してもよい。ここで、ポリスチレンは比重が１．０を超え、開栓時、栓体２１は炭酸飲料水中に沈降し、泡の吹きこぼれを抑制することができない。この場合、栓体２１に中空部を形成して浮力を与えるようにする。
【００２６】
【発明の効果】
以上のように、この発明においては、栓体の開栓時、その栓体は炭酸飲料水中に一旦沈降してから直ちに浮き上がるため、炭酸飲料水から発生する泡の吹きこぼれを抑制することができる。
【００２７】
また、ボトル本体を口部が下向きとなるように傾けると、栓体は炭酸飲料水中を浮上して口部から離反するため、ボトル本体内の炭酸飲料水をきわめてスムーズに飲むことができる。
【００２８】
さらに、栓体を合成樹脂製とすることにより、その栓体を金型によって成形することができるため、コストの安い栓体を得ることができる。
【図面の簡単な説明】
【図１】この発明に係るボトルの実施形態を示す一部切欠正面図
【図２】図１に示すボトルの口部を示す拡大断面図
【符号の説明】
１　ボトル本体
４　口部
２１　栓体
【図１】
2004051205.tif 000003
【図２】
2004051205.tif 000004